(57)【要約】【課題】  ドアパネル（１０）の片銀杏面、吊元パネル（２０）の際丸面（２１）をエナメル系塗料で被覆し、加工しやすく、色調のバランスがよいトイレブースにする。【解決手段】  表裏が化粧材（５）で被覆され、片銀杏面（１１）を有する側面が塗膜で被覆されたドアパネル（１０）と、表裏が化粧材（５）で被覆され、際丸面（２１）を有する側面が塗膜で被覆された吊元パネル（２０）とを必須とし、前記際丸面（２１）の突出部（２２）と、前記片銀杏面（１１）の曲線部（１２）とを対峙させる。【選択図】  図１
2014070452.tif 000002
【特許請求の範囲】
【請求項１】
表裏が化粧材（５）で被覆され、側面が片銀杏面（１１）であるとともに塗膜で被覆されたドアパネル（１０）と、表裏が化粧材（５）で被覆され、側面が際丸面（２１）であるとともに塗膜で被覆された吊元パネル（２０）とを必須とし、前記際丸面（２１）の突出部（２２）が、前記銀杏面（１１）の曲線部（１２）と対峙されてなることを特徴とするトイレブースの開口部構造。
【請求項２】
前記片銀杏面（１１）、及び前記際丸面（２１）の塗膜はエナメル系塗膜であることを特徴とする請求項１記載のトイレブースの開口部構造。
【請求項３】
前記化粧材（５）はメラミン化粧板であることを特徴とする請求項１記載のトイレブースの開口部構造。
【請求項４】
トイレブースの組み立て方法において、表裏が化粧材（５）で被覆され、側面が片銀杏面（１１）であるとともに塗膜で被覆されたドアパネル（１０）と、表裏が化粧材（５）で被覆され、側面が際丸面（２１）であるとともに塗膜で被覆された吊元パネル（２０）とを、前記際丸面（２１）の曲面（２２）の正射影面（２７）が、前記片銀杏面（１１）の曲面（１２）と交差するように取り付けることを特徴とするトイレブースの組み立て方法。
【請求項５】
前記片銀杏面（１１）、及び前記際丸面（２１）の塗膜はエナメル系塗膜であることを特徴とする請求項４記載のトイレブースの組み立て方法。
【請求項６】
前記ドアパネル（１０）と前記吊元パネル（２０）は平面視面一であることを特徴とする請求項４記載のトイレブースの組み立て方法。
【請求項７】
前記化粧材（５）はメラミン化粧板であることを特徴とする請求項４記載のトイレブースの組み立て方法。
【発明の詳細な説明】
【技術分野】
【０００１】
本発明はトイレブースの開口部構造及びトイレブースの組み立て方法に関する。
【背景技術】
【０００２】
これまでより種々のパネル構造を有するトイレブースがあり、近年では、ドアパネルと吊元パネルの向かい合う端面を斜めに、或いは円弧状、曲面にして、外観がスッキリし、見栄えのよいものが知られ、表裏には化粧材を接着加工して、色、柄が豊富なものとなっている。
【０００３】
【特許文献１】特開２００８−２０７４２０号公報
【発明の開示】
【発明が解決しようとする課題】
【０００４】
しかしながら、表裏には化粧材が接着加工されているものの、端面を曲面、特に小さいＲ（曲率半径）にしようとすると化粧材の反発力が強くて曲げ加工が極めて難しいといった問題があった。
【課題を解決するための手段】
【０００５】
本発明はかかる状況に鑑み検討されたもので、表裏が化粧材（５）で被覆され、側面が片銀杏面（１１）であるとともに塗膜で被覆されたドアパネル（１０）と、表裏が化粧材（５）で被覆され、側面が際丸面（２１）であるとともに塗膜で被覆された吊元パネル（２０）とを必須とし、前記際丸面（２１）の突出部（２２）が、前記銀杏面（１１）の曲線部（１２）と対峙されてなることを特徴とするトイレブースの開口部構造である。
【発明の効果】
【０００６】
本発明によれば、ドアパネル（１０）の片銀杏面、吊元パネル（２０）の際丸面は塗膜で被覆されているため加工がしやすく、塗料の色を化粧材と調和させることにより、色調のバランスがよく、耐殺傷性に優れたものとなる。
【発明を実施するための最良の形態】
【０００７】
以下、本発明について図面に基づいて詳細に説明する。
【実施例１】
【０００８】
図１は本発明のトイレブースの開口部構造を有する要部拡大斜視図、図２は要部平面図であり、ドアパネル（１０）と吊元パネル（２０）を必須とし、内開きタイプのトイレブースである。
【０００９】
ドアパネル（１０）は、開口側の端面を片銀杏面にした芯材（１）の表裏に化粧材（５）が、片銀杏面（１１）は化粧材（５）と同一の色調のエナメル系塗料で被覆されており、吊元パネル（２０）は開口側の端面を際丸面（２１）にした芯材（１）の表裏に化粧材（５）が、際丸面（２１）は化粧材（５）と同一の色調のエナメル系塗料で被覆されており、色調のバランスが取れ見栄えのあるものとなっている。
【００１０】
エナメル系塗料は隠蔽性、塗膜の硬さに優れる他、光沢、美観に優れ高級質感が得られることから本発明ではポリウレタン樹脂エナメル塗料を好適に採用している。ポリウレタン樹脂エナメル塗料はウレタン樹脂からなる樹脂ワニスに顔料を分散させ、シンナーなど速乾性の溶剤で調合したものであり、化粧材（５）の色調に合わせ適宜着色される。
【００１１】
ドアパネル（１０）に用いる化粧材と吊元パネル（２０）に用いる化粧材は異なっていてもよいが、同一の化粧材であると色調が統一できスッキリとした印象を与えることができる。
【００１２】
ドアパネル（１０）、吊元パネル（２０）とも厚みは３６〜３８ｍｍであり、この範囲であると耐久性が確保でき、軽量で取り扱いやすい。
【００１３】
トイレブースを組み立てる際には、片銀杏面（１１）が外側になるようにドアパネル（１０）を取り付け、際丸面（２１）の突出部（２５）が片銀杏面（１１）の曲面部（１２）の一部を覆いつつ、ドアパネル（１０）が回動するように隙間Ｗを設けて対峙するように取り付け、ドアパネル（１０）と吊元パネル（２０）が面一となるようにすると、使用時に外部から見えないようになり、また、見栄えがあり、各々のパネルの段差を感じないようになる。
【００１４】
図３は要部拡大平面図である。前述の取り付けについて詳述すると、際丸面（２１）の曲面（２２）の正射影面（２７）は、片銀杏面（１１）の曲面（１２）と交差している。交差しない、すなわち交線（３０）がないと、隙間から中が見えてしまい不都合になる。曲面（１２）、（２２）の曲率は２〜５Ｒ、平面（１３）、（２３）の長さは１〜３ｍｍ程度が好ましい。
【００１５】
芯材（１）としては軽量で組み立て作業が容易となるように紙製のハニカムコアやロールコア、アルミの如き金属製のハニカムコア、フェノール樹脂やウレタン樹脂の発泡体などの中空芯材と、合板、パーティクルボード、ＭＤＦ（中密度繊維板）、集成板、ＬＶＬあるいはこれらの複合材などの木質系素材、更に表裏に板状基材が接着したいわゆるフラッシュドアの構成からなるものを用いている。
【００１６】
板状基材としては合板、ＭＤＦ（中密度繊維板）、あるいはこれらの複合材などの木質系素材の中から適宜選択して用いればよい。
【００１７】
表裏に使用される化粧材（５）はメラミン樹脂化粧板、ジアリルフタレート樹脂化粧板、ポリエステル化粧板、オレフィン樹脂フィルム、塩化ビニールシート、天然木化粧材などが挙げられ、本発明では耐衝撃性、耐殺傷性などの諸物性に優れるメラミン化粧板を用いている。
【図面の簡単な説明】
【００１８】
【図１】トイレブースの要部拡大斜視図。
【図２】トイレブースの要部平面図。
【図３】トイレブースの要部拡大平面図。
【図４】ドアパネルの回動の様子を示す要部拡大平面図。
【符号の説明】
【００１９】
１    芯材
５    化粧材
７    エナメル系塗膜
１０    ドアパネル
１１    片銀杏面
１２    片銀杏面の曲面
１３    片銀杏面の平面
２０    吊元パネル
２１    際丸面
２２    際丸面の曲面
２３    際丸面の平面
２５    突出部
２７    正射影面
３０    交線
ｗ      隙間
ｓ１    回転軸
【図２】
2014070452.tif 000003
【図３】
2014070452.tif 000004
【図４】
2014070452.tif 000005
【図１】
2014070452.tif 000006